(57)【要約】【課題】  規格化された符号化文字集合に含まれない外字として使用頻度の高い人名字及び地名字をその使用時に正確に表示する。【解決手段】  規格化された符号化文字集合に含まれない文字に文字コードを対応させた符号化外字を処理する文字処理システム１であって、符号化外字を復号化するための復号鍵を格納した復号鍵格納手段２と、外字として人名字又は地名字を表示するためのフォントＦ２と、このフォントＦ２に対応するコード値ＣＤとを対応させて記憶した記憶手段３１と、この記憶手段に記憶されたコード値ＣＤを含む文字データを受信すると共に、復号鍵格納手段２から復号鍵を取得する通信手段３２と、この通信手段３２により取得された復号鍵を用いて符号化外字を外字に復号する文字処理手段３３と、この文字処理手段３３により復号された外字をフォントＦ２で表示する表示手段３４とを有する文字処理装置３とを備える。【選択図】        図１
2005196420.tif 000002
【特許請求の範囲】
【請求項１】
規格化された符号化文字集合に含まれない文字にコード値を対応させた符号化外字を処理する文字処理システムであって、
前記符号化外字を復号化するための復号鍵を格納した復号鍵格納手段と、
この復号鍵格納手段から前記複合鍵を取得して前記符号化外字を復号化する文字処理装置とを備え、
この文字処理装置は、
前記文字として予め抽出された人名字又は地名字を表示するためのフォントと前記コード値とを対応させて前記符号化外字を記憶した記憶手段と、
この記憶手段に記憶された前記コード値を含む文字データを受信すると共に、前記復号鍵格納手段から前記復号鍵を取得する通信手段と、
この通信手段により取得された前記復号鍵を用いて前記符号化外字を復号化する文字処理手段と、
この文字処理手段による復号化で指定された前記フォントにより前記人名字又は地名字を表示する表示手段と
を有することを特徴とする文字処理システム。
【請求項２】
前記文字処理装置は、複数の符号化文字が夫々備える属性を判別するための属性情報と前記文字コードとを対応させて前記記憶手段に記憶することを特徴とする請求項１に記載の文字処理システム。
【請求項３】
前記文字処理装置は、前記属性情報として部首情報を前記記憶手段に記憶することを特徴とする請求項２に記載の文字処理システム。
【請求項４】
前記文字処理装置は、前記属性情報として画数情報を前記記憶手段に記憶することを特徴とする請求項２に記載の文字処理システム。
【請求項５】
前記文字処理装置は、前記属性情報として読み方情報を前記記憶手段に記憶することを特徴とする請求項２に記載の文字処理システム。
【請求項６】
前記文字処理装置は、前記属性情報として文字構成要素情報を前記記憶手段に記憶することを特徴とする請求項２に記載の文字処理システム。
【請求項７】
前記文字処理装置は、前記属性情報として異体字情報を前記記憶手段に記憶することを特徴とする請求項２に記載の文字処理システム。
【請求項８】
前記文字処理装置は、前記属性情報として人名実績情報を前記記憶手段に記憶することを特徴とする請求項２に記載の文字処理システム。
【請求項９】
前記文字処理装置は、前記属性情報として地名実績情報を前記記憶手段に記憶することを特徴とする請求項２に記載の文字処理システム。
【請求項１０】
前記文字処理装置は、前記属性情報として地域実績情報を前記記憶手段に記憶することを特徴とする請求項２に記載の文字処理システム。
【請求項１１】
前記文字処理装置は、前記通信手段により受信した前記文字データに含まれる前記符号化外字と属性共通の文字を前記属性情報に基づいて前記文字処理手段により前記記憶手段から検索することを特徴とする請求項２に記載の文字処理システム。
【請求項１２】
前記文字処理装置は、当該装置に予め付与された識別子により前記復号鍵格納手段に前記復号鍵を要求することを特徴とする請求項１に記載の文字処理システム。
【請求項１３】
前記復号鍵格納手段は、前記文字処理装置からの要求に応じて当該文字処理装置に前記復号鍵を送出すると共に、当該復号鍵を用いて復号化される符号化文字の使用料を当該文字処理装置の販売者に請求することを特徴とする請求項１２に記載の文字処理システム。
【請求項１４】
前記文字処理装置は、前記通信手段により前記復号鍵を取得しなかった場合、前記文字処理手段により前記符号化外字を異体字関係にある代用文字に復号化し、当該代用文字を前記符号化外字に代えて前記表示手段によりフォント表示することを特徴とする請求項１に記載の文字処理システム。
【請求項１５】
規格化された符号化文字集合に含まれない文字にコード値を対応させた符号化外字を処理する機能を備えた電子機器であって、
前記文字として予め抽出された人名字又は地名字を表示するためのフォントと前記コード値とを対応させて前記符号化外字を記憶した記憶手段と
この記憶手段に記憶された前記コード値を含む文字データを受信すると共に、当該符号化外字を復号化するための復号鍵を外部から取得する通信手段と、
この通信手段により取得された前記復号鍵を用いて前記符号化外字を復号化する文字処理手段と、
この文字処理手段による復号化で指定された前記フォントにより前記人名字又は地名字を表示する表示手段と
を備えることを特徴とする電子機器。
【請求項１６】
前記記憶手段は、複数の符号化文字が夫々備える属性を判別するための属性情報と前記文字コードとを対応させて記憶することを特徴とする請求項１５に記載の電子機器。
【請求項１７】
前記記憶手段は、前記属性情報として部首情報を記憶することを特徴とする請求項１６に記載の電子機器。
【請求項１８】
前記記憶手段は、前記属性情報として画数情報を記憶することを特徴とする請求項１６に記載の電子機器。
【請求項１９】
前記記憶手段は、前記属性情報として読み方情報を記憶することを特徴とする請求項１６に記載の電子機器。
【請求項２０】
前記記憶手段は、前記属性情報として文字構成要素情報を記憶することを特徴とする請求項１６に記載の電子機器。
【請求項２１】
前記記憶手段は、前記属性情報として異体字情報を記憶することを特徴とする請求項１６に記載の電子機器。
【請求項２２】
前記記憶手段は、前記属性情報として人名実績情報を記憶することを特徴とする請求項１６に記載の電子機器。
【請求項２３】
前記記憶手段は、前記属性情報として地名実績情報を記憶することを特徴とする請求項１６に記載の電子機器。
【請求項２４】
前記記憶手段は、前記属性情報として地域実績情報を記憶することを特徴とする請求項１６に記載の電子機器。
【請求項２５】
前記文字処理手段は、前記文字データに含まれる前記符号化外字と属性共通の文字を前記属性情報に基づいて前記記憶手段から検索することを特徴とする請求項１６に記載の電子機器。
【請求項２６】
前記通信手段は、当該装置に予め付与された識別子により前記復号鍵を取得することを特徴とする請求項１６に記載の電子機器。
【請求項２７】
前記文字処理手段は、前記通信手段により前記復号鍵を取得しなかった場合、前記符号化外字を異体字関係にある代用文字に復号化することを特徴とする請求項１６に記載の電子機器。
【請求項２８】
前記表示手段は、前記文字処理手段により復号化された前記代用文字を前記符号化外字に代えてフォント表示することを特徴とする請求項２７に記載の電子機器。
【発明の詳細な説明】
【技術分野】
【０００１】
本発明は、コンピュータ及び携帯電話等の情報処理機能を備えた電子機器による文字処理に適用して好適な文字処理システム及び電子機器に関する。
【背景技術】
【０００２】
従来、コンピュータ等の情報処理機能を備えた電子機器による文字処理は、字形（グリフ：glyph）に付番されたコード番号に基づいて実行され、このコード番号としては、JIS漢字コード（情報交換用符号化漢字集合：JIS X 0208:1997）のような公的規格により標準化された文字コード（符号化文字集合）が用いられる。
【０００３】
最近の電子政府化及び電子取引の伸長に伴い、住民票及び免許証記載等の人定情報の電子化は必須であるが、人名表記及び地名表記を戸籍記載と一致させるには、現行の規格により標準化された符号化文字集合では、収録文字が不足である。これは、標準化された符号化文字集合に収録されていない文字や、標準化された符号化文字集合に含まれる文字と同音同義であるが、字形が異なる異体字関係にある漢字（以下、異体字と呼ぶ）が多数存在し、人名表記及び地名表記に使用されているからである。
【０００４】
このような異体字は、標準化された符号化文字集合では使用されない未定義領域（保留領域）に、規格外文字（外字）として追加される。これにより符号化文字集合は拡張され、人名又は地名を表記するための異体字を符号化外字として使用することができるようになる。
【０００５】
「ｅ−Ｊａｐａｎ戦略」等の各種行政施策によって、符号化文字集合の拡張が図られているものの、人名及び地名で使用される所謂人名字及び地名字の総体を特定することができないため、数万字規模の膨大な数の文字からなる符号化文字集合が構築され、コンピュータ等への実装に支障を来している。このため、例えば、住民基本台帳ネットワークの構築に際して、各都道府県の人定情報処理用コンピュータにより独自に生成されてきた人名字及び地名字を統一する試み等が、実効を得ることなく頓挫する事態に到っている。
【０００６】
そこで、複数のコンピュータが個別に拡張した符号化文字集合を新たな文字コードに変換して記憶する外字変換サーバーを備え、この外字変換サーバーと接続することによって、数万字規模の符号化文字集合をコンピュータに実装しなくても、任意の符号化外字を含む文字データを復号化してフォント表示できるようにした外字変換システムが提案されている（特許文献１参照）。
【０００７】
【特許文献１】特開２００２−３４２３１３号公報（第３−４頁、第１図）
【発明の開示】
【発明が解決しようとする課題】
【０００８】
しかしながら、特許文献１に記載された外字変換システムにおいては、複数のコンピュータが文字処理のために外字変換サーバーに夫々アクセスし、外字を表示するためのフォントを個別に検索しなければならなかった。従って、外字変換サーバーが記憶するフォントの中から所望の外字フォントを取得して表示するまでに時間がかかり使い勝手が悪いという問題があった。
【０００９】
ところで、本出願人が運転免許証用フォントを整理して調査したところ、JIS漢字コード（JIS X 0208）で表記することができない文字、即ち外字は、５，０００字程度しか使用されていないことが判明した。この５，０００字程度の文字数であれば、ＵＮＩＣＯＤＥ（Universal multi-octet coded character set：ISO/IEC10646）及びＥＵＣ（Extended Unix(R) Code）のような既存の符号化方法（エンコーディング）によって、コンピュータ等の電子機器に外字として実装することができる。よって、外字フォントを集中管理するための外字変換サーバーを外部に設けて接続する必要はない。
【００１０】
本発明は、人名字及び地名字に特化されたコンパクトな符号化外字集合をコンピュータ及び携帯電話等の電子機器に実装することにより上記問題を解決し、規格化された符号化文字集合に含まれない外字として使用頻度の高い人名字及び地名字をその使用時に正確に表示することができる文字処理システム及び電子機器を提供することを目的とする。
【課題を解決するための手段】
【００１１】
上記課題を解決するため、本発明に係る文字処理システムは、規格化された符号化文字集合に含まれない文字にコード値を対応させた符号化外字を処理する文字処理システムであって、この符号化外字を復号化するための復号鍵を格納した復号鍵格納手段と、この復号鍵格納手段から前記複合鍵を取得して符号化外字を復号化する文字処理装置とを備え、この文字処理装置は、この文字として予め抽出された人名字又は地名字を表示するためのフォントとコード値とを対応させて符号化外字を記憶した記憶手段と、この記憶手段に記憶されたコード値を含む文字データを受信すると共に、復号鍵格納手段から復号鍵を取得する通信手段と、この通信手段により取得された復号鍵を用いて符号化外字を復号化する文字処理手段と、この文字処理手段による復号化で指定されたフォントにより人名字又は地名字を表示する表示手段とを有することを特徴とする。
【００１２】
本発明に係る文字処理システムによれば、規格化された符号化文字集合に含まれない文字にコード値を対応させた符号化外字を処理する場合に、一方で、予め抽出された人名字又は地名字を表示するためのフォントとコード値とを対応させた符号化外字が、文字処理装置の記憶手段に記憶され、他方で、この符号化外字を復号化するための復号鍵が復号鍵格納手段に格納される。そして、このコード値を含む文字データが通信手段により受信されると、この通信手段により復号鍵格納手段から復号鍵が取得され、この復号鍵を用いて文字処理手段により符号化外字が復号化される。ここでの復号化により指定されたフォントによって人名字又は地名字に係る符号化外字が表示手段により表示される。
【００１３】
従って、規格外文字でありながら使用頻度が高い人名字及び地名字をその使用時に正確に表示することができると共に、規格化された符号化文字集合での不足文字を使用頻度の高い人名字及び地名字に特化されたコンパクトな符号化外字集合として実装することができる。このため、携帯電話等の記憶容量が限られた電子機器であっても、符号化外字を利用した正確な表示を実現することができる。
【００１４】
本発明に係る電子機器は、規格化された符号化文字集合に含まれない文字にコード値を対応させた符号化外字を処理する機能を備えた電子機器であって、この文字として予め抽出された人名字又は地名字を表示するためのフォントとコード値とを対応させて符号化外字を記憶した記憶手段と、この記憶手段に記憶されたコード値を含む文字データを受信すると共に、この符号化外字を復号化するための復号鍵を外部から取得する通信手段と、この通信手段により取得された復号鍵を用いて符号化外字を復号化する文字処理手段と、この文字処理手段による復号化で指定されたフォントにより人名字又は地名字を表示する表示手段とを備えることを特徴とする。
【００１５】
本発明に係る電子機器によれば、規格化された符号化文字集合に含まれない文字にコード値を対応させた符号化外字を処理する場合に、この文字として人名字又は地名字を表示するためのフォントとコード値を対応させた符号化外字が記憶手段に記憶される。このコード値を含む文字データが通信手段により受信されると、この通信手段により外部から復号鍵が取得され、この復号鍵を用いて文字処理手段により符号化外字が復号化される。そして、この文字処理手段による復号化で指定されたフォントによって、表示手段により人名字又は地名字が表示される。
【００１６】
従って、規格外文字でありながら使用頻度が高い人名字及び地名字をその使用時に正確に表示することができると共に、規格化された符号化文字集合での不足文字を使用頻度の高い人名字及び地名字に特化されたコンパクトな符号化外字集合として実装することができるため、携帯電話等の記憶容量が限られた電子機器であっても、符号化外字を利用した正確な表示を実現することができる。
【発明の効果】
【００１７】
本発明に係る文字処理システムによれば、規格化された符号化文字集合に含まれない文字にコード値を対応させた符号化外字を処理する場合に、この文字として予め抽出された人名字又は地名字を表示するためのフォントとコード値とを対応させた符号化外字を記憶した記憶手段を有する文字処理装置を備え、復号鍵格納手段から複合鍵を取得して符号化外字を復号化するものである。
【００１８】
この構成によって、規格外文字でありながら使用頻度が高い人名字及び地名字をその使用時に正確に表示することができるので、人名字又は地名字を含む文字データの送受信に起因した文字化け等の不都合を回避することができる。従って、このような人名字及び地名字を含む文字データを、符号化された電子データとして複数の電子機器間で交換することができる。また、規格化された符号化文字集合での不足文字を使用頻度の高い人名字及び地名字に特化されたコンパクトな符号化外字集合として実装することができるため、携帯電話等の記憶容量の限られた電子機器であっても、符号化外字を利用した正確な表示を実現することができる。
【００１９】
本発明に係る電子機器によれば、規格化された符号化文字集合に含まれない文字として予め抽出された人名字又は地名字を表示するためのフォントとコード値とを対応させた符号化外字を記憶した記憶手段を備え、このコード値を含む文字データを受信すると共に、この符号化外字を復号化するための復号鍵を外部から取得してこの符号化外字を復号化するものである。
【００２０】
この構成によって、規格外文字でありながら使用頻度が高い人名字及び地名字をその使用時に正確に表示することができるので、人名字又は地名字を含む文字データの送受信に起因した文字化け等の不都合を回避することができる。従って、このような人名字及び地名字を含む文字データを符号化された電子データとして複数の電子機器間で交換することができる。また、規格化された符号化文字集合での不足文字を使用頻度の高い人名字及び地名字に特化されたコンパクトな符号化外字集合として実装することができる。よって、携帯電話等の記憶容量の限られた電子機器であっても符号化外字を利用した正確な表示を実現することができる。
【発明を実施するための最良の形態】
【００２１】
以下、添付の図面を参照しながら、本発明に係る文字処理システム及び電子機器の実施に最良の形態について説明する。
【００２２】
本実施形態としての文字処理システムは、規格化された符号化文字集合に含まれない文字にコード値を対応させた符号化外字を処理する場合に、この文字として予め抽出された人名字又は地名字を表示するためのフォントとコード値とを対応させた符号化外字を記憶した記憶手段を有する文字処理装置を備え、復号鍵格納手段から複合鍵を取得して符号化外字を復号化する。
【００２３】
これによって、規格化された符号化文字集合での不足文字を使用頻度の高い人名字及び地名字に特化されたコンパクトな符号化外字集合として実装することができると共に、人名字及び地名字をその使用時に正確に表示することができるようにしたものである。
【００２４】
図１は、本実施形態としての文字処理システム１の構成例を示す図である。この文字処理システム１は、ＪＩＳ漢字コードのような規格化された符号化文字集合に含まれない規格外文字（以下、外字と呼ぶ）に任意の文字コードを対応させた符号化外字（外字コード）を復号化するための復号鍵を格納した復号鍵格納手段２と、この復号鍵格納手段２から復号鍵を取得して符号化外字を復号化する文字処理装置３と、この文字処理装置３を製造もしくは販売した販売者により運営されるメーカーサイト４とを備えて構成される。
【００２５】
復号鍵格納手段２は、符号化外字を復号化（暗号解読）するための復号鍵としてアクセスキー（暗号解読キー）を検索可能に格納したアクセスキー検索サイトであって、アクセスキーのような電子情報を長期間に亘り安定して保持可能な大容量記憶装置と、この大容量記憶装置に保持した電子情報をインターネット及び公衆電話回線網のような開放系ネットワーク上で提供するためのＩＥＥＥ８０２．３規格準拠のイーサポート（Ether Port）のようなネットワークインタフェイス（ＮＩ／Ｆ：Network Interface）とを備えて構成される。
【００２６】
このアクセスキー検索サイト２は、インターネット及び公衆電話回線網等の開放系ネットワークを介して接続する文字処理装置３からのアクセスキーの要求に応じて、符号化外字の使用条件への同意表明に対してアクセスキーを送出して提供する。また、このアクセスキー検索サイト２は、この文字処理装置３へのアクセスキーの提供をトリガ（Trigger）として、このアクセスキーを用いて文字処理装置３により復号される外字の使用料を、この文字処理装置３の販売者により運営されるメーカーサイト４に請求する。
【００２７】
文字処理装置３は、規格化された符号化文字集合に含まれない外字に任意の文字コード（外字コード）を対応させた符号化外字を処理する機能を備えた電子機器に組み込まれ、例えば、外字を含む文字を符号化及び復号化してフォント表示する機能を備えた携帯電話、ＰＤＡ（Personal Digital Assistant：携帯情報端末）、パーソナルコンピュータ（ＰＣ：Personal Computer）及びテレビ等の所謂情報家電を含む電子機器に内蔵させて構成することができる。
【００２８】
このような電子機器に内蔵された文字処理装置３は、記憶手段３１、通信手段３２、文字処理手段３３、表示手段３４及び制御手段３５を備えて構成される。記憶手段３１、通信手段３２、文字処理手段３３及び表示手段３４は、制御手段３５に夫々接続され、この制御手段３５によりその動作を制御される。
【００２９】
記憶手段３１は、半導体メモリ等から構成される不揮発性メモリ又は磁気記録媒体駆動装置（ハードディスクドライブ：ＨＤＤ）のように、任意の電子情報を長期間に亘り保持可能な記録媒体であって、外字として予め抽出された人名字及び地名字を表示するためのフォントと、このフォントに対応するコード値とを符号化外字として記憶する。
【００３０】
これにより記憶手段３１は、人名字及び地名字に特化されたコンパクトな符号化外字集合を、かな漢字変換プログラム等の文字処理プログラムにスタンダードプロファイル（標準機能）として供給することができるようになる。ここでスタンダードプロファイルとは、規格文字又は外字からなる任意の文字集合（字書）から、目的に合致した文字だけを集めて部分集合化したものをいう。
【００３１】
通信手段３２は、ＣＤＭＡ（Code Division Multiple Access：符号分割多元接続）規格等の無線通信規格に準拠して構成された通信ポート３２ａ、ＩＴＵ−Ｔ勧告に基づく通信規格をサポートする通信モデム又はＩＥＥＥ８０２．３規格準拠のＮＩＣ（Network Interface Card）のようなＮＩ／Ｆを有して構成され、記憶手段３１に記憶された符号化外字を含む文字データを上述した開放系ネットワークを介して受信すると共に、この符号化外字を復号化するためのアクセスキーをアクセスキー検索サイト２から取得する。
【００３２】
文字処理手段３３は、かな漢字変換プログラム等の文字処理プログラムと、文字入力可能なキーボード等の入力手段３３ａとから構成され、入力手段３３ａから入力される文字の符号化及び復号化処理を実行すると共に、通信手段３２により取得されたアクセスキーを用いて暗号化された符号化外字を復号化するように文字処理を実行する。
【００３３】
表示手段３４は、ＬＣＤ（Liquid Crystal Display）３４ａのような画像表示機能を有して構成され、文字処理手段３３により復号化された外字をフォント表示する。
【００３４】
このように構成された文字処理システム１において、図２に示すように、文字処理装置３の記憶手段３１に、人名字又は地名字を表示するためのフォントＦ１，Ｆ２と、このフォントに対応する文字コード（コード値）ＣＤとを記憶（格納）し、上述したスタンダードプロファイルとしてデータベースＤＢを構築する。
【００３５】
このデータベースＤＢは、人名字又は地名字を表示するための複数の外字フォントＦ１，Ｆ２と、この外字フォントＦ１，Ｆ２に付与された文字コードＣＤとから構成される符号化外字集合と、これら複数の外字Ｆ１，Ｆ２が夫々備える属性を判別するための属性情報Ｄとを予め対応させて保存したものであって、このデータベースＤＢを参照するかな漢字変換プログラム等のアプリケーションに依存することなく、このようなアプリケーションからの要求に応じて属性情報Ｄを出力する。
【００３６】
ここで、属性情報Ｄとは、例えば、漢字（文字）「蓮」Ｆ１が備える属性として、この漢字Ｆ１の部首Ｃ１１を判別するための部首情報Ｄ１、この漢字Ｆ１のエレメントＣ１２，Ｃ１３を判別するためのエレメント情報Ｄ２、この漢字Ｆ１の部首Ｃ１１以外の部分、即ち、エレメントＣ１２，Ｃ１３の総画数を判別するための部首内画数情報Ｄ３、この漢字Ｆ１と異体字関係にある漢字Ｆ２を判別するための異体字情報Ｄ４、この漢字Ｆ１の総画数を判別するための総画数情報Ｄ５、この漢字Ｆ１の人名字としての使用実績を判別するための人名実績情報Ｄ６、この漢字Ｆ１の地名字としての使用実績を判別するための地名実績情報Ｄ７、この漢字Ｆ１の地域別での使用実績を判別するための地域実績情報Ｄ８、及び、この漢字Ｆ１の読み方を判別するための読み方情報Ｄ９等から構成される。
【００３７】
このようにデータベースＤＢは、属性情報Ｄとして、この漢字Ｆ１の構成要素（エレメント）を判別するための文字構成要素情報（エレメント情報）Ｄ２と、異体字情報Ｄ４と、人名実績情報Ｄ６と、地名実績情報Ｄ７と、地域実績情報Ｄ８とを、この漢字Ｆ１に予め付与された文字コード「４Ｆ７Ｂ」と対応させて管理保存する。エレメント情報Ｄ２は、単にエレメントを判別するだけでなく、エレメントの異体情報及び関連情報を含む。
【００３８】
人名実績情報Ｄ６及び地名実績情報Ｄ７において、例えば、人名字又は地名字としての使用実績有りは「１」、使用実績無しは「０」を各文字の使用実績として保存する。即ち、データベースＤＢは、漢字Ｆ１が人名字に使われている場合、この漢字Ｆ１の文字コード「４Ｆ７Ｂ」と人名実績情報「１」とを対応させて保存し、この漢字Ｆ１が地名字に使われている場合、この漢字Ｆ１の文字コード「４Ｆ７Ｂ」と地名実績情報「１」とを対応させて保存するように構成する。もちろん、この漢字Ｆ１が、人名及び地名の表記に使われていない場合は、この漢字Ｆ１の文字コード「４Ｆ７Ｂ」と人名実績情報「０」及び地名実績情報「０」とを対応させて保存する。
【００３９】
また、地域実績情報Ｄ８においては、地域単位として都道府県を採用し、使用実績が有った都道府県数を地域実績情報Ｄ８として保存する。漢字Ｆ１には、例えば、人名字又は地名字として４７都道府県で戸籍使用実績がある場合、データベースＤＢは、この漢字Ｆ１の文字コード「４Ｆ７Ｂ」と地域実績情報「４７」とを対応させて保存する。
【００４０】
これにより文字処理手段３３は、キーボード３３ａからの「かな入力」があったとき、この「かな入力」に対する変換候補文字として、属性共通の外字を属性情報Ｄに基づいてデータベースＤＢから検索することができる。
【００４１】
文字処理手段３３は、例えば、漢字「蓮」Ｆ１の備える属性として、部首Ｃ１１が「草冠」であり、エレメントＣ１２，Ｃ１３が「之」及び「車」であり、部首内画数が「９」であり、文字コード「５Ｇ６Ａ」を付与された漢字Ｆ２と異体字関係にあり、総画数が「１２」であり、人名実績及び地名実績があり、地域実績が「４７」都道府県であることを、属性情報Ｄから判別できる。従って、文字処理装置３は、キーボード３３ａからの「かな入力」に対して、属性共通の漢字「蓮」Ｆ１と異体字Ｆ２とを、変換候補文字として表示画面３４ａに並べてフォント表示することができる。
【００４２】
このようなスタンダードプロファイルが実装された文字処理装置３は、このスタンダードプロファイルの使用料を含む価格でメーカー等の販売者により販売される。そして、この文字処理装置３により外字使用を試みると、表示手段３４によりアクセスキー取得を促す画面３４ａが表示される。ここでアクセスキー取得に同意すると、通信手段３２によりアクセスキー検索サイト２と通信可能に接続される。
【００４３】
アクセスキー検索サイト２は、文字処理装置３に予め付与され記憶された製造番号（シリアルナンバー）等の装置ＩＤ又はメーカーＩＤ等の識別子をキーとして、この文字処理装置３による接続を許諾し、文字処理装置３の表示画面３４ａに、スタンダードプロファイル使用条件を提示するように表示を切り換える。
【００４４】
文字処理装置３が、アクセスキー検索サイト２により提示されたスタンダードプロファイル使用条件への同意を表明することによりアクセスキーを要求すると、アクセスキー検索サイト２は、文字処理装置３からの要求に応じて、この文字処理装置３にアクセスキーを送出すると共に、この文字処理装置３によるアクセスキーの取得をトリガとして、この文字処理装置３によるスタンダードプロファイルの使用料をメーカーサイト４に請求するための通信を開始する。
【００４５】
これにより文字処理装置３は、通信手段３２を介してアクセスキー検索サイト２からアクセスキーを取得（入手）し、記憶手段３１が、スタンダードプロファイルを使用可能に開放されるので、外字を表示するためのフォントＦ１，Ｆ２、複数の外字を検索可能な字書として機能するデータベースＤＢ及びこのデータベースＤＢから所望の外字を効率良く検索するための検索用エレメント、即ち、各種の属性情報Ｄを、文字処理ツールとして使用できるようになる。従って、外字として使用頻度が高い人名字及び地名字をその使用時に正確に表示することができる。
【００４６】
次に、本発明に係る電子機器による文字データの送受信方法について説明する。図３は、本発明に係る文字処理装置が実装された電子機器の一例である携帯電話３ａとＰＤＡ３ｂとによる文字データの送受信例を示す図である。
【００４７】
携帯電話３ａは、上述のようにしてアクセスキー検索サイト２からアクセスキーを取得し、記憶手段３１ａに実装されたスタンダードプロファイルを使用可能であり、外字Ｆ３ａをフォント表示することができる。一方、ＰＤＡ３ｂは、アクセスキー検索サイト２からアクセスキーを取得していないので、スタンダードプロファイルを使用できない。
【００４８】
この携帯電話３ａからＰＤＡ３ｂに外字Ｆ３ａを含む文字データ（外字データ）を電子メール等により送信すると、上述と同様に、ＰＤＡ３ｂの表示手段によりアクセスキー取得を促す画面が表示される。ここでアクセスキー検索サイト２にアクセスしてアクセスキーを取得することによって、ＰＤＡ３ｂの記憶手段３１ｂに実装されたスタンダードプロファイルが使用可能となる。このため、このＰＤＡ３ｂによっても外字Ｆ３ｂをフォント表示できるようになるので、携帯電話３ａから送信された外字Ｆ３ａを含む文字データに基づいて文字を正確にフォント表示することができる。
【００４９】
従って、本発明に係る文字処理システムによれば、規格化された符号化文字集合での不足文字を使用頻度の高い人名字及び地名字に特化されたコンパクトな符号化外字集合として実装することができるので、携帯電話３ａ及びＰＤＡ３ｂ等の記憶容量の限られた電子機器であっても、外字使用時に、この外字を表示するための外字フォントによる正確な表示を実現することができる。
【００５０】
このように文字数が限定された符号化外字集合であれば、フォント及び字書開発の負荷を軽減することができるので、文字処理機能を備えた携帯電話、ＰＤＡ、ＰＣ及びテレビ等のあらゆる種類の電子機器への人定用文字の展開が可能となる。従って、今後、ＰＣを含むコンピュータだけでなく、所謂情報家電等を含む電子機器がインターネット等のネットワークに接続された場合に、これらの電子機器の間で電子化された人定情報を不都合なく交換し、共通利用することができるようになる。
【００５１】
なお、携帯電話３ａからＰＤＡ３ｂに外字Ｆ３ａを含む外字データを電子メール等により送信する際には、公開鍵方式等での暗号化を行ってから外字データを伝送することもできる。
【００５２】
次に、本発明に係る電子機器による文字処理方法について、添付の図面を参照しながら説明する。図４乃至６は、本発明に係る電子機器による文字処理例を示すフローチャートである。
【００５３】
この文字処理例では、外字使用可能な携帯電話３ａから送信された外字Ｆ３ａを含む文字データを、アクセスキー未取得のＰＤＡ３ｂにより受信し、この文字データを表示するための文字処理を実行することを前提とする。
【００５４】
この前提において、図４に示すフローチャートのステップＳ１で、ＰＤＡ３ｂにより外字Ｆ３ａを含む文字データ（外字データ）を受信すると、ステップＳ２で、表示手段３４によりアクセスキー取得を促す画面が表示される。
【００５５】
この画面でアクセスキー取得を選択すると、ステップＳ３で、制御手段３５は、アクセスキー取得と判断してステップＳ４に進み、通信手段３２によりアクセスキー検索サイト２に接続し、このアクセスキー検索サイト２からアクセスキーを取得する。これによりＰＤＡ３ｂでスタンダードプロファイルを使用可能となる。
【００５６】
次のステップＳ５で、文字処理手段３３によりスタンダードプロファイルを使用して外字Ｆ３ａを表示するための文字処理を実行することによって、受信したデータを表示手段３４により外字フォントＦ３ｂを使用して正確に表示する。
【００５７】
次のステップＳ６で、この文字データの転送を選択すると、ステップＳ７で、この外字Ｆ３ｂを含む文字データがそのまま転送される。ステップＳ６で、文字データの転送を選択しなかった場合、ステップＳ７をスキップして終了する。
【００５８】
ステップＳ３で、アクセスキー取得を選択しなかった場合、図５に示すフローチャートのステップＳ８に移行して、受信した文字データに含まれる外字Ｆ３ａが、例えばJIS X 0208等の規格化された符号化文字集合に含まれる文字の異体字か否かを文字処理手段３３により判別し、この外字Ｆ３ａがJIS X 0208に含まれる文字の異体字であった場合、ステップＳ９に進み、この外字Ｆ３ａと異体字関係にあるJIS X 0208内の文字、例えば漢字「辺」に変換するように文字処理手段３３により外字Ｆ３ａを復号化し、ステップＳ１０で、このJIS X 0208に含まれる文字「辺」を代用文字として外字Ｆ３ａに代えて表示手段３４により受信データを表示する。
【００５９】
ステップＳ１１で、この文字データの転送を選択した場合、ステップＳ１２で、例えば、「代用文字が含まれています。代用文字のまま送信しますか？」のような警告が表示され、ステップＳ１３で、データ転送を選択すると、ステップＳ１４で、このJIS X 0208に含まれる代用文字のコード番号と、外字Ｆ３ａに付与された文字番号テキストとを、外字データとして送信して終了する。なお、ここで、文字番号テキストとは、この外字Ｆ３ａに付与された外字コードを１０進数で表記可能な文字列に変換し、この文字列の先頭及び末尾に文字番号テキストであることを識別する符号を付したデータである。
【００６０】
ステップＳ１１及びステップＳ１３で、文字データの転送を選択しなかった場合、受信データの代用文字による表示のみで文字処理を終了する。
【００６１】
一方、ステップＳ８で、受信した文字データに含まれる外字が、JIS X 0208に含まれる文字の異体字ではなかった場合、図６に示すフローチャートのステップＳ１５に移行して、外字Ｆ３ａを表示すべき部分に、上述した文字番号テキストを表示する。
【００６２】
次のステップＳ１６で、この文字データの転送を選択した場合、ステップＳ１７で、例えば、「表示できない文字が含まれています。文字番号で送信しますか？」のような警告が表示され、ステップＳ１８で、データ転送を選択すると、ステップＳ１９で、外字Ｆ３ａに付与された文字番号テキストを送信して終了する。
【００６３】
ステップＳ１６及びステップＳ１８で、文字データの転送を選択しなかった場合、受信データの文字番号テキストによる表示のみで文字処理を終了する。
【００６４】
このように、本発明に係る電子機器による文字処理方法によれば、外字として使用頻度が高い人名字及び地名字をその使用時に正確に表示することができる。また、外字使用を選択しなかった場合であっても、代用文字が存在する場合には、外字に代えて代用文字により文字データを内容把握可能に表示することができる。
【００６５】
更にまた、このような外字又は代用文字に関するデータを含む文字データを送出する場合に、受信側端末に係る電子機器において、外字及び代用文字に関するデータの受信であることを、そのヘッダ情報から読み取ることができる。従って、人名字又は地名字を含む文字データの送受信に起因した文字化け等の不都合を回避することができるため、このような人名字及び地名字を含む文字データを符号化された電子データとして複数の電子機器間で支障なく交換することができる。
【００６６】
以上、本発明の実施形態及びその効果について詳細に説明してきたが、本発明は、上述した実施形態の構成に限定されるものではなく、本願明細書に添付した特許請求の範囲により規定された本発明の適用範囲から逸脱せずに、上述した実施形態の構成が有する機能を達成可能な構成であれば、どのようなものであっても適用することができる。
【産業上の利用可能性】
【００６７】
本発明は、コンピュータ及び携帯電話等の情報処理機能を備えた電子機器による文字処理に適用して極めて好適である。
【図面の簡単な説明】
【００６８】
【図１】本発明に係る文字処理システムの構成例を示す図である。
【図２】本発明に係る電子機器の記憶手段に格納する標準機能の構成例を示す図である。
【図３】本発明に係る電子機器による文字データ送受信例を示す図である。
【図４】本発明に係る電子機器による文字処理例を示すフローチャート（その１）である。
【図５】本発明に係る電子機器による文字処理例を示すフローチャート（その２）である。
【図６】本発明に係る電子機器による文字処理例を示すフローチャート（その３）である。
【符号の説明】
【００６９】
１  文字処理システム
２  復号鍵格納手段（アクセスキー検索サイト）
３  文字処理装置（電子機器）
４  販売者（メーカーサイト）
３１  記憶手段
３２  通信手段
３３  文字処理手段
３４  表示手段
３５  制御手段
ＣＤ  文字コード
ＤＢ  データベース
Ｄ１  部首情報
Ｄ２  文字構成要素情報
Ｄ３  部首内画数情報
Ｄ４  異体字情報
Ｄ５  総画数情報
Ｄ６  人名実績情報
Ｄ７  地名実績情報
Ｄ８  地域実績情報
Ｄ９  読み方情報
Ｆ１，Ｆ２  フォント
【図１】
2005196420.tif 000003
【図２】
2005196420.tif 000004
【図３】
2005196420.tif 000005
【図４】
2005196420.tif 000006
【図５】
2005196420.tif 000007
【図６】
2005196420.tif 000008